(57)【要約】【課題】防水性及び防塵性を高めることができる生体情報測定装置を提供する。【解決手段】生体情報測定装置は、生体と接触する接触面に開口部を有するハウジングと、接触面の法線方向からの平面視において開口部に配置されるセンサー部と、を備え、センサー部は、生体に光を照射する発光部と、生体からの反射光を受光する受光部と、発光部及び受光部を封止する封止部と、を有し、封止部は、開口部の内側側面と接触する側面部を有し、内側側面及び側面部のうちの一方には、突出部が設けられている。【選択図】図８
2019166267.tif 000002
【特許請求の範囲】
【請求項１】
生体と接触する接触面に開口部を有するハウジングと、
前記接触面の法線方向からの平面視において前記開口部に配置されるセンサー部と、を備え、
前記センサー部は、
前記生体に光を照射する発光部と、
前記生体からの反射光を受光する受光部と、
前記発光部及び前記受光部を封止する封止部と、を有し、
前記封止部は、前記開口部の内側側面と接触する側面部を有し、
前記内側側面及び前記側面部のうちの一方には、突出部が設けられていることを特徴とする生体情報測定装置。
【請求項２】
請求項１に記載の生体情報測定装置において、
前記突出部は、前記側面部に設けられ、
前記ハウジングは、前記内側側面において前記突出部に対応する位置に凹部を有することを特徴とする生体情報測定装置。
【請求項３】
請求項２に記載の生体情報測定装置において、
前記突出部の硬度は、前記内側側面の硬度より小さいことを特徴とする生体情報測定装置。
【請求項４】
請求項１に記載の生体情報測定装置において、
前記突出部は、前記側面部に設けられ、前記接触面と接触することを特徴とする生体情報測定装置。
【請求項５】
請求項４に記載の生体情報測定装置において、
前記突出部は、前記接触面と連続する面を有することを特徴とする生体情報測定装置。
【請求項６】
請求項４又は請求項５に記載の生体情報測定装置において、
前記ハウジングは、前記内側側面から前記封止部に向かって突出するハウジング側突出部を有し、
前記側面部は、前記ハウジング側突出部に対応する位置に凹部を有することを特徴とする生体情報測定装置。
【請求項７】
請求項１から請求項６のいずれか一項に記載の生体情報測定装置において、
前記開口部及び前記封止部のそれぞれの形状は、前記接触面の法線方向からの平面視において円弧状である部位を含むことを特徴とする生体情報測定装置。
【発明の詳細な説明】
【技術分野】
【０００１】
本発明は、生体情報測定装置に関する。
【背景技術】
【０００２】
従来、脈波を測定する脈波センサーが知られている（例えば、特許文献１参照）。
特許文献１に記載の脈波センサーは、光センサー部を含む本体ユニットと、本体ユニットの両端部に取り付けられて生体に巻き回されるベルトと、を備えた腕輪構造（腕時計型構造）とされている。これらのうち、光センサー部は、本体ユニットの裏面に設けられており、ケース、透光板、発光部、受光部及び遮光壁を備える。
ケースは、発光部及び受光部を収納する枡形状の部材である。ケースは、ケースの開口面を塞ぐ透光板が本体ユニットの表面と面一となるように、本体ユニットに埋設される。
発光部及び受光部は、生体に対して同じ側に設けられている。発光部は、透光板を介して生体に光を照射し、受光部は、生体内を透過した光を、透光板を介して受光する。
遮光壁は、発光部が載置される第１領域と、受光部が載置される第２領域とに、ケースを分割する部材であり、発光部から受光部に直接入射される光を遮蔽する。
【先行技術文献】
【特許文献】
【０００３】
【特許文献１】特開２０１４−８３１０号公報
【発明の概要】
【発明が解決しようとする課題】
【０００４】
しかしながら、特許文献１に記載の脈波センサーでは、ケースの開口面が透光板によって塞がれているだけであり、ケースと透光板との隙間から、液体や塵埃が内部に侵入するおそれがあるという問題があった。
【０００５】
本発明は、上記した課題の少なくとも一部を解決することを目的としたものであり、防水性及び防塵性を高めることができる生体情報測定装置を提供することを目的の１つとする。
【課題を解決するための手段】
【０００６】
本発明の一態様に係る生体情報測定装置は、生体と接触する接触面に開口部を有するハウジングと、前記接触面の法線方向からの平面視において前記開口部に配置されるセンサー部と、を備え、前記センサー部は、前記生体に光を照射する発光部と、前記生体からの反射光を受光する受光部と、前記発光部及び前記受光部を封止する封止部と、を有し、前記封止部は、前記開口部の内側側面と接触する側面部を有し、前記内側側面及び前記側面部のうちの一方には、突出部が設けられていることを特徴とする。
【０００７】
このような構成によれば、ハウジングの内側側面及び封止部の側面部のうちの一方に設けられた突出部によって、開口部の内側側面と、開口部内に配置される封止部の側面部との間の隙間を塞ぐことができる。このため、当該隙間を介して、液体や塵埃がハウジング内に侵入することを抑制できる。従って、このような突出部が無い場合に比べて、生体情報測定装置の防水性及び防塵性を高めることができる。
【０００８】
上記一態様では、前記突出部は、前記側面部に設けられ、前記ハウジングは、前記内側側面において前記突出部に対応する位置に凹部を有することが好ましい。
このような構成によれば、突出部が凹部に挿入されることによって、液体及び塵埃が侵入するおそれがある上記隙間を塞ぐことができる。従って、生体情報測定装置の防水性及び防塵性を高めることができる。また、凹部によって、開口部の内側側面と封止部の側面部との接触面積を拡大できる他、凹部に突出部が挿入されることによって、開口部からの封止部の抜けを抑制できる。
【０００９】
上記一態様では、前記突出部の硬度は、前記内側側面の硬度より小さいことが好ましい。
なお、硬度が小さいとは、硬度が低いことを意味し、硬度が大きいとは、硬度が高いことを意味する。
このような構成によれば、突出部を変形させて凹部内にて配置させることができ、これにより、突出部と凹部とを密着させることができる。従って、上記隙間を確実に塞ぐことができ、生体情報測定装置の防水性及び防塵性を確実に高めることができる。
また、封止部が開口部内に挿入されて配置される場合でも、開口部への封止部の挿入時に突出部が変形することによって、封止部を開口部内に確実に配置できる。
【００１０】
上記一態様では、前記突出部は、前記側面部に設けられ、前記接触面と接触することが好ましい。
このような構成によれば、突出部は、封止部の側面部と開口部の内側端縁との間の隙間を覆うように、接触面と接触することとなるので、接触面側から液体や塵埃がハウジング内に浸入することを抑制できる。従って、生体情報測定装置の防水性及び防塵性を高めることができる。
【００１１】
上記一態様では、前記突出部は、前記接触面と連続する面を有することが好ましい。
このような構成によれば、生体情報測定装置が接触面と生体とが接触するように装着された際に、接触面だけでなく上記連続する面も生体と接触するので、生体に跡が残ることを抑制できる。
【００１２】
上記一態様では、前記ハウジングは、前記内側側面から前記封止部に向かって突出するハウジング側突出部を有し、前記側面部は、前記ハウジング側突出部に対応する位置に凹部を有することが好ましい。
このような構成によれば、ハウジング側突出部が凹部に挿入されることによって、上記と同様に、開口部の内側側面と封止部の側面部との接触面積を拡大できる。この他、ハウジング側突出部が開口部の内側側面に位置することにより、開口部は、段付き穴のような形状となる。このため、開口部内に配置される封止部の脱落を抑制できる。
【００１３】
上記一態様では、前記開口部及び前記封止部のそれぞれの形状は、前記接触面の法線方向からの平面視において円弧状である部位を含むことが好ましい。
このような構成によれば、例えば接触面と生体とが接触するように生体情報測定装置が装着されて、上記平面視で封止部を拡径させる応力が加わった場合に、円弧状である部位においては、封止部の側面部が開口部の内側側面に均等に圧力を加えることができる。従って、側面部と内側側面とを隙間なく密着させることができる。
【図面の簡単な説明】
【００１４】
【図１】本発明の第１実施形態に係る生体情報測定装置を示す正面図。
【図２】上記第１実施形態における生体情報測定装置の背面部を示す図。
【図３】上記第１実施形態における生体情報測定装置の内部構成を示す図。
【図４】上記第１実施形態における背面部及び生体情報検出センサーを示す斜視図。
【図５】上記第１実施形態における生体情報検出センサーを示す斜視図。
【図６】上記第１実施形態における背面部における生体情報検出センサーの配置を示す斜視図。
【図７】上記第１実施形態における背面部及び生体情報検出センサーを示す断面図。
【図８】上記第１実施形態における背面部及び生体情報検出センサーの一部を拡大して示す断面図。
【図９】本発明の第２実施形態に係る生体情報測定装置が備える背面部及び生体情報検出センサーを示す断面図。
【図１０】上記第２実施形態における背面部及び生体情報検出センサーの一部を拡大して示す断面図。
【図１１】上記第２実施形態における封止部の形成工程を示す図。
【発明を実施するための形態】
【００１５】
［第１実施形態］
以下、本発明の第１実施形態について、図面に基づいて説明する。
［生体情報測定装置の概略構成］
図１は、本実施形態に係る生体情報測定装置１Ａを示す正面図である。
本実施形態に係る生体情報測定装置（以下、測定装置と略す場合がある）１Ａは、ユーザーの体（生体）に装着されて利用されるウェアラブル機器であり、ユーザーの生体情報を測定する。具体的に、測定装置１Ａは、ユーザーの手首等の被装着部位に装着されて利用され、生体情報の１つであるユーザーの脈波を検出し、生体情報の他の１つである脈拍数を測定する。測定装置１Ａは、詳しくは後述するが、防水性及び防塵性を高める構成を有する点に特徴の１つを有する。
測定装置１Ａは、図１に示すように、ハウジング２Ａ及びバンドＢＮ１，ＢＮ２を備える。ハウジング２Ａは、測定装置１Ａが装着されたときにユーザーの体と接触する背面部２２と、測定された生体情報をユーザーが視認可能にするための表示窓を有する正面部２１と、を備える。
【００１６】
［バンドの構成］
バンドＢＮ１は、ハウジング２Ａの一方の端部から延出し、バンドＢＮ２は、ハウジング２Ａの他方の端部から延出している。すなわち、バンドＢＮ１，ＢＮ２は、ハウジング２Ａにおいて互いに反対側の端部から、それぞれ離間する方向に延出している。ハウジング２Ａは、バンドＢＮ１，ＢＮ２が中留（図示省略）によって互いに連結されることによって、被装着部位に装着される。なお、バンドＢＮ１，ＢＮ２は、ハウジング２Ａと一体的に形成されていてもよい。
【００１７】
以下の説明では、ハウジング２Ａの正面部２１から背面部２２に向かう方向を＋Ｚ方向とする。また、＋Ｚ方向と直交し、かつ、互いに直交する方向を、＋Ｘ方向及び＋Ｙ方向とする。−Ｚ方向、−Ｘ方向及び−Ｙ方向は、それぞれ＋Ｚ方向、＋Ｘ方向及び＋Ｙ方向の反対方向である。
本実施形態では、−Ｚ方向側から見てバンドＢＮ１の延出方向を＋Ｙ方向とする。また、＋Ｙ方向が上方となるように測定装置１Ａを−Ｚ方向側から見て、右側から左側に向かう方向を＋Ｘ方向とする。
これらのうち、＋Ｚ方向は、後述する生体情報検出センサー５Ａのセンサー部５２Ａを構成する発光部５３が光を主に出射する方向でもあり、生体情報検出センサー５Ａを構成する基板５１の実装面５１Ａの法線方向や後述する接触面２２Ａの法線方向でもある。
なお、本明細書において、観察方向を指定した場合を除いて、＋Ｚ方向側から観察対象を見ることを「平面視」という。
【００１８】
［ハウジングの構成］
ハウジング２Ａは、フロントケース及びリアケースが組み合わされて構成されており、正面部２１及び背面部２２（図２参照）と、正面部２１及び背面部２２を接続する側面部２３とを有する。
正面部２１は、フロントケースによって構成される。正面部２１は、測定装置１Ａを装着したユーザーが、ハウジング２Ａ内に設けられた表示部ＤＰを視認可能にするための透光性カバー２１１を有する。
側面部２３において−Ｘ方向側の部位には、操作部を構成する一対のボタンＢＴが設けられている。
【００１９】
図２は、測定装置１Ａの背面部２２を示す図である。
背面部２２は、リアケースによって構成される。背面部２２は、図２に示すように、背面部２２における＋Ｚ方向側の面であって、測定装置１Ａがユーザーに装着された際にユーザーの体に接触する接触面２２Ａを有する。
接触面２２Ａは、中央側が外縁側に比べて＋Ｚ方向側に膨出した湾曲形状に形成されている。接触面２２Ａの中央には、ハウジング２Ａ内に収容された生体情報検出センサー５Ａのセンサー部５２Ａを外部に露出させ、センサー部５２Ａの発光部５３から出射された光が通過する略円形状の開口部２２１が形成されている。なお、生体情報検出センサー５Ａ及び開口部２２１については、後に詳述する。
【００２０】
［ハウジングの内部構成］
図３は、測定装置１Ａの内部構成を示す図であり、詳しくは、ＹＺ平面と平行で、測定装置１Ａの中央を通る断面を−Ｘ方向側から見た図である。
測定装置１Ａは、ハウジング２Ａ及び表示部ＤＰの他、図３に示すように、それぞれハウジング２Ａに収容される回路基板３、電池４、生体情報検出センサー５Ａ及び接続部材６を有する。
電池４は、測定装置１Ａを動作させる電力を供給する。電池４は、本実施形態では、回路基板３による制御の下、外部から供給される電力によって充電される二次電池であるが、一次電池であってもよい。
接続部材６は、回路基板３と生体情報検出センサー５Ａとを電気的に接続する部材である。本実施形態では、接続部材６は、ＦＰＣ（フレキシブルプリント基板）により構成されているが、ケーブルやハーネス等の導通部材であってもよい。
【００２１】
［回路基板の構成］
回路基板３は、測定装置１Ａ全体を制御する制御基板であり、詳しい図示を省略するが、リジッド基板上に複数の回路素子が設けられた構成を有する。このような回路素子として、回路基板３は、加速度センサー、無線通信回路、表示制御回路、記憶回路及び制御回路を有する。
【００２２】
加速度センサーは、測定装置１Ａに作用する加速度を検出し、検出された加速度を示す信号をユーザーの体動を示す体動信号として制御回路に出力する。なお、体動信号は、制御回路が生体情報検出センサー５Ａから入力される脈波信号を解析して脈拍数を決定する際に、脈波信号に含まれる体動ノイズの除去にも利用される。
無線通信回路は、制御回路による制御の下、生体情報検出センサー５Ａ及び加速度センサーによる検出結果に基づく生体情報や体動情報を外部機器に送信する他、外部機器から受信される情報を制御回路に出力する。
表示制御回路は、制御回路による制御の下、表示部ＤＰに所定の情報を表示させる。例えば、表示制御回路は、制御回路によって解析された脈拍数を表示部ＤＰに表示させる。
【００２３】
記憶回路は、フラッシュメモリー等の不揮発性メモリーによって構成され、測定装置１Ａの動作に必要なプログラム及びデータを記憶している。この他、記憶回路は、生体情報検出センサー５Ａ及び加速度センサーによる検出結果、及び、制御回路による解析結果を記憶する。
制御回路は、ＣＰＵ（Central Processing Unit）等の演算処理回路によって構成され、自律的に、或いは、ボタンＢＴ等の操作部に対するユーザーの入力操作に応じて測定装置１Ａ全体を制御する。例えば、制御回路は、生体情報検出センサー５Ａから入力される脈波信号、及び、加速度センサーから入力される体動信号に基づいて、ユーザーの脈拍数を決定する。また、制御回路は、決定された脈拍数を記憶回路に記憶させる他、必要に応じて、脈拍数を表示部ＤＰに表示させたり、無線通信回路によって外部機器に送信したりする。
【００２４】
［生体情報検出センサーの構成］
図４は、生体情報検出センサー５Ａのセンサー部５２Ａ及び背面部２２を＋Ｚ方向側から見た斜視図である。また、図５は、生体情報検出センサー５Ａを＋Ｚ方向側から見た斜視図である。なお、図４及び図５においては、センサー部５２Ａにおける発光部５３、受光部５４及び遮光部５５の配置を分かりやすくするために、センサー部５２Ａを構成する封止部５６Ａの図示を省略している。
生体情報検出センサー５Ａは、測定装置１Ａに例示される、生体情報を測定する生体情報測定装置に用いられる生体情報検出センサーであり、生体（例えばユーザーの体）に光を照射して、生体にて反射された反射光の受光光量を示す信号を、生体の脈波を示す脈波信号として出力する。この生体情報検出センサー５Ａは、図４及び図５に示すように、基板５１、センサー部５２Ａ、増幅部５７及びコネクター５８を有する。
【００２５】
［基板の構成］
基板５１は、＋Ｚ方向側の面である実装面５１Ａに、センサー部５２Ａ、増幅部５７及びコネクター５８が設けられ、これらを支持する支持基板である。本実施形態では、基板５１は、図５に示すように、＋Ｙ方向が長く、＋Ｘ方向が短い矩形状のリジッド基板である。
基板５１は、−Ｙ方向側の端部に、＋Ｙ方向側に凹む隙間形成部５１１を有する。隙間形成部５１１は、コネクター５８と回路基板３とを接続する上記接続部材６が挿通する隙間ＧＰ（図３参照）を、後述する第３の凹部２２５との間に形成する。
このような基板５１において実装面５１Ａとは反対側の裏面５１Ｂには、回路素子が配設されていない。しかしながら、裏面５１Ｂに、所定の機能を有する回路素子が配設されていてもよい。
【００２６】
［増幅部の構成］
増幅部５７は、実装面５１Ａにおいてセンサー部５２Ａに対する＋Ｙ方向側の位置に配置され、センサー部５２Ａの後述する受光部５４から入力される信号（脈波信号）を増幅して、コネクター５８に出力する。増幅部５７は、入力信号を処理するＡＦＥ（Analog Front End）としての機能を有するものであり、入力信号に対して増幅、ノイズ除去及びＡ／Ｄ変換等の処理を行う。すなわち、増幅部５７は、一次増幅部、フィルター部、二次増幅部、Ａ／Ｄ変換部及び通信部を有する。
【００２７】
［コネクターの構成］
コネクター５８は、実装面５１Ａにおいてセンサー部５２Ａに対して−Ｙ方向側の部位に設けられ、接続部材６と接続される接続部として機能する。コネクター５８は、増幅部５７から入力される脈波信号を、接続部材６を介して回路基板３に出力する。
【００２８】
［センサー部の構成］
センサー部５２Ａは、生体情報検出センサー５Ａが背面部２２に取り付けられた際に、平面視で（背面部２２の接触面２２Ａの法線方向から見て）開口部２２１内に配置される。センサー部５２Ａは、生体に対する光の照射、及び、生体にて反射された光の受光を行い、受光光量に応じた信号を、生体情報を示す信号（例えば脈波信号）として出力する。センサー部５２Ａは、図４及び図５に示すように、発光部５３（５３Ａ，５３Ｂ）、受光部５４及び遮光部５５を有する他、後述する封止部５６Ａ（図６参照）を有する。
【００２９】
［発光部の構成］
発光部５３は、生体に照射される光（検出光であり、例えば緑色光）を出射する。発光部５３は、平面視において、受光部５４を＋Ｙ方向において挟むように、所定間隔を隔てて２つ設けられている。換言すると、発光部５３は、受光部５４に対して＋Ｙ方向側に位置する発光部５３Ａと、−Ｙ方向側に位置する発光部５３Ｂと、を有する。発光部５３Ａ，５３Ｂのうち、一方は第１発光部であり、他方は第２発光部に相当する。
【００３０】
発光部５３Ａ，５３Ｂは、本実施形態ではＬＥＤ（Light Emitting Diode）等の発光素子（図示省略）と、発光素子を囲むように被覆する被覆部５３１と、被覆部５３１に設けられるレンズ５３２と、を有する。すなわち、発光部５３Ａ，５３Ｂは、それぞれパッケージ化されたＬＥＤチップである。
被覆部５３１は、詳しい図示を省略するが、発光素子の発光面と対向する位置から見て、発光素子の四方（±Ｘ方向側及び±Ｙ方向側）を囲む反射部と、発光素子及び反射部の間に充填される密封用樹脂と、を有する。発光素子から出射された光のうち、±Ｘ方向側及び±Ｙ方向側に出射された光は反射部によって＋Ｚ方向側に反射されて、レンズ５３２に入射される。なお、発光素子から＋Ｚ方向側に出射された光も、レンズ５３２に入射される。このように発光素子から出射されてレンズ５３２に入射された光は、レンズ５３２によって集光されて出射される。
なお、発光部５３Ａ，５３Ｂは、それぞれ個別に点灯及び消灯を切り替えることが可能である。このため、脈波の検出に際しては、発光部５３Ａ，５３Ｂの少なくとも１つが点灯するが、必ずしも発光部５３Ａ，５３Ｂが同時に点灯する必要はない。
【００３１】
［受光部の構成］
受光部５４は、生体にて反射された反射光を受光し、反射光の受光光量を示す信号を出力する。受光部５４は、平面視において、２つの発光部５３Ａ，５３Ｂの間に設けられている。
受光部５４は、詳しい図示を省略するが、ＰＤ（Photodiode）である受光素子と、当該受光素子を被覆する被覆部と、波長制限フィルターと、を有する。すなわち、受光部５４は、パッケージ化されたＰＤチップである。
これらのうち、波長制限フィルターは、発光部５３から出射される光と略同じ波長の光を透過することによって、受光部５４にて受光される光の波長を制限するものである。
なお、受光部５４は、上記の他に、角度制限フィルターを有していてもよい。角度制限フィルターは、角度制限フィルターを構成するフィルター層の法線に対する入射光の角度である入射角が所定値（例えば３０°）未満である光を透過させ、入射角が所定値以上である光の透過を抑制するフィルターである。このような角度制限フィルターが設けられている場合、ノイズとなる外乱光が受光素子に入射されることが抑制される。
【００３２】
［遮光部の構成］
遮光部５５は、発光部５３から出射されて、生体を介さずに受光部５４に直接向かう光を遮蔽する。遮光部５５は、発光部５３（５３Ａ，５３Ｂ）と受光部５４との間に配置されている。
具体的に、遮光部５５は、第１遮蔽部５５１、第２遮蔽部５５２、第３遮蔽部５５３及び第４遮蔽部５５４を有し、基板５１に対して垂直な方向（＋Ｚ方向）から見て、各遮蔽部５５１〜５５４によって受光部５４を囲む矩形枠状に形成されている。
第１遮蔽部５５１は、受光部５４に対して＋Ｙ方向側に位置し、発光部５３Ａと受光部５４との間に位置する。
第２遮蔽部５５２は、受光部５４に対して−Ｙ方向側に位置し、発光部５３Ｂと受光部５４との間に位置する。
第３遮蔽部５５３は、受光部５４に対して＋Ｘ方向側に位置し、第４遮蔽部５５４は、受光部５４に対して−Ｘ方向側に位置する。
【００３３】
更に、遮光部５５は、第３遮蔽部５５３と接続される屈曲部５５５と、第４遮蔽部５５４と接続される屈曲部５５６と、を有する。これら屈曲部５５５，５５６は、ＸＹ平面に沿う平板状の取付部であり、−Ｚ方向側の面が実装面５１Ａに半田等によって取り付けられることにより、実装面５１Ａに遮光部５５が取り付けられる。
【００３４】
［封止部の構成］
図６は、背面部２２に対する生体情報検出センサー５Ａの配置を示す斜視図であり、換言すると、背面部２２及び生体情報検出センサー５Ａを示す分解斜視図である。また、図７は、背面部２２に取り付けられる前の生体情報検出センサー５Ａと背面部２２とのＹＺ平面に沿う断面を示す図である。
封止部５６Ａは、図６及び図７に示すように、発光部５３、受光部５４及び遮光部５５を基板５１の実装面５１Ａに封止して、これら発光部５３、受光部５４及び遮光部５５を保護する。封止部５６Ａは、背面部２２に形成された開口部２２１を介してハウジング２Ａの外部に露出される。すなわち、封止部５６Ａは、平面視で開口部２２１の形状と一致する形状、すなわち、円弧状である部位を含む略円形状に形成されている。
【００３５】
このような封止部５６Ａは、発光部５３から出射された光、及び、受光部５４に入射される光を透過する透光性樹脂（封止樹脂）からなる透光性部材によって形成されている。このため、発光部５３から出射された光は、封止部５６Ａを介してハウジング２Ａの外部に出射され、また、受光部５４にて受光される光は、封止部５６Ａを介して受光部５４に入射される。
なお、封止とは、封止される対象である封止対象の全てが封止部５６Ａ内に包み込まれることを必ずしも意味するわけではない。例えば、封止部５６Ａは、封止対象である発光部５３及び受光部５４を封止部５６Ａ内に封入していれば、同じく封止対象である遮光部５５の一部が封止部５６Ａ外に露出していてもよい。後述する封止部５６Ｂにおいても同様である。
また、本実施形態では、上記封止樹脂によって形成される封止部５６Ａの硬度は、当該封止部５６Ａが内部に配置される開口部２２１の内側側面２２１１の硬度、すなわち、背面部２２の硬度より小さい。
【００３６】
このような封止部５６Ａは、＋Ｚ方向側の面であり、測定装置１Ａが生体に装着された際に生体に接触する生体接触面５６１を有する。生体接触面５６１は、発光部５３から出射された光が主に封止部５６Ａ外に出射される出射面でもあり、また、受光部５４に入射される光が外部（生体）から主に入射される入射面でもある。すなわち、生体接触面５６１は、封止部５６Ａに対する光の入出射面である。
このような生体接触面５６１は、図７に示すように、＋Ｚ方向側から見た場合の中央部が外縁側より＋Ｚ方向に膨出した凸曲面状に形成されている。生体接触面５６１の形状は、発光部５３から出射された光を集光して生体に照射することを意図した形状である。
【００３７】
ここで、遮光部５５における実装面５１Ａからの突出方向である＋Ｚ方向の先端部の位置は、発光部５３（５３Ａ，５３Ｂ）における＋Ｚ方向側の端部より＋Ｚ方向側で、かつ、生体接触面５６１より−Ｚ方向側に位置している。例えば、図７に示すように、第１遮蔽部５５１における＋Ｚ方向側の先端部５５１１の位置は、発光部５３Ａにおける＋Ｚ方向側の端部より＋Ｚ方向側で、かつ、生体接触面５６１より−Ｚ方向側に位置している。第２遮蔽部５５２における＋Ｚ方向側の先端部５５２１の位置も同様である。また、図示を省略するが、第３遮蔽部５５３及び第４遮蔽部５５４における＋Ｚ方向側の先端部の位置も、先端部５５１１，５５２１と同様である。
このような遮光部５５によって、発光部５３から生体を介さずに受光部５４に直接向かう光を遮蔽できる。
【００３８】
封止部５６Ａは、図６及び図７に示すように、凸曲面状の生体接触面５６１を有する円柱状に形成されており、−Ｚ方向側から生体情報検出センサー５Ａが背面部２２に取り付けられた際に開口部２２１の内側側面２２１１と対向し、内側側面２２１１と接触する側面部５６２を有する。
側面部５６２は、＋Ｚ方向に沿う封止部５６Ａの中心軸を中心とする周方向の外面である。側面部５６２には、突出部５６３（５６３１，５６３２）が、側面部５６２から封止部５６Ａの径方向外側に突出するように設けられている。
【００３９】
突出部５６３は、図７に示すように、封止部５６Ａの＋Ｚ方向に沿う中心軸を中心とする周方向に沿って、側面部５６２の全周に亘ってそれぞれ円環状に形成された第１突出部５６３１及び第２突出部５６３２を有する。
第１突出部５６３１及び第２突出部５６３２は、それぞれ側面部５６２の＋Ｚ方向における略中央に位置し、第１突出部５６３１は、第２突出部５６３２に対して＋Ｚ方向側に位置する。第１突出部５６３１及び第２突出部５６３２は、封止部５６Ａが開口部２２１に−Ｚ方向側から＋Ｚ方向側に向かって挿入された際に、開口部２２１の内側側面２２１１に形成された凹部２２１２に挿入され、凹部２２１２に嵌まり込む。
【００４０】
［背面部の詳細構成］
背面部２２は、上記のように、回路基板３、電池４及び生体情報検出センサー５Ａを収容するハウジング２Ａにおける＋Ｚ方向側の部位を構成する。背面部２２は、図７に示すように、センサー部５２Ａを＋Ｚ方向側に向けるようにして−Ｚ方向側から生体情報検出センサー５Ａ（基板５１）が接触する内面２２Ｂを有する。
【００４１】
内面２２Ｂは、生体情報検出センサー５Ａの基板５１に当接して生体情報検出センサー５Ａを支持する。内面２２Ｂに支持された基板５１は、図示しないねじ等の固定部材や接着剤によってハウジング２Ａ（例えば内面２２Ｂ）に固定される。
背面部２２には、センサー部５２Ａをハウジング２Ａの外部に露出させる開口部２２１が形成され、開口部２２１に対する±Ｙ方向側の部位には、それぞれ内面２２Ｂから＋Ｚ方向側に凹む第１の凹部２２３及び第２の凹部２２４が形成されている。
開口部２２１に対して＋Ｙ方向側に位置する第１の凹部２２３は、増幅部５７を避けるための凹部である。開口部２２１に対して−Ｙ方向側に位置する第２の凹部２２４は、コネクター５８を避けるための凹部である。
【００４２】
また、内面２２Ｂは、−Ｙ方向側の端縁に、第２の凹部２２４と接続される第３の凹部２２５を有する。第３の凹部２２５は、コネクター５８に接続された接続部材６の一部が配置される。詳述すると、第３の凹部２２５は、基板５１の隙間形成部５１１とによって隙間ＧＰ（図３参照）を形成する。そして、基板５１において＋Ｚ方向側の面である実装面５１Ａに位置するコネクター５８に一端が接続された接続部材６は、隙間ＧＰを挿通して、基板５１に対して−Ｚ方向側に位置する回路基板３と接続される。これにより、生体情報検出センサー５Ａから出力される脈波信号は、接続部材６を介して回路基板３に出力される。
【００４３】
開口部２２１の内側側面２２１１には、内側側面２２１１の全周に亘って、上記突出部５６３（第１突出部５６３１及び第２突出部５６３２）が嵌め込まれる凹部２２１２が形成されている。すなわち、ハウジング２Ａは、内側側面２２１１において突出部５６３と対応する位置に、突出部５６３が挿入される凹部２２１２を有する。
凹部２２１２は、内側側面２２１１の＋Ｚ方向における略中央に、開口部２２１の＋Ｚ方向に沿う中心軸を中心とする周方向に沿って形成されている。凹部２２１２の深さは、上記側面部５６２から突出部５６３の先端までの寸法、すなわち、突出部５６３の突出寸法より小さい。
【００４４】
図８は、生体情報検出センサー５Ａが背面部２２に取り付けられた状態の生体情報検出センサー５Ａ及び背面部２２の一部を拡大して示す断面図である。なお、図８は、生体情報検出センサー５Ａ及び背面部２２のＹＺ平面に沿う断面を示す図である。
生体情報検出センサー５Ａを背面部２２に対して−Ｚ方向側から＋Ｚ方向に沿って取り付けた場合、図８に示すように、生体情報検出センサー５Ａの封止部５６Ａは、開口部２２１内に挿入される。
この際、封止部５６Ａの側面部５６２に位置する突出部５６３（５６３１，５６３２）は、開口部２２１の内側側面２２１１に設けられた凹部２２１２に挿入されて、嵌合される。
【００４５】
ここで、封止部５６Ａの外径寸法は、側面部５６２が内側側面２２１１に当接する程度のクリアランスを考慮した上で、開口部２２１の内径寸法に合わせて設定されている。また、上記のように、突出部５６３の突出寸法は、凹部２２１２の深さ寸法より大きい。
このため、開口部２２１内に封止部５６Ａが挿入されると、側面部５６２と内側側面２２１１とは接触する。そして、図８において一点鎖線にて示した突出部５６３は、凹部２２１２内にて変形し、突出部５６３の先端部は、凹部２２１２において深さ方向に位置する部位である底部２２１３と密着する。
すなわち、突出部５６３は、平面視で封止部５６Ａにおいて開口部２２１の内側端縁より外側（径方向外側）に突出する。そして、突出部５６３は、内側側面２２１１に形成された凹部２２１２に挿入されて、凹部２２１２と密着する。
なお、開口部２２１の内側端縁とは、開口部２２１の内側側面２２１１に設けられ、開口部２２１において開口部２２１の＋Ｚ方向に沿う中心軸に最も近接する端縁を意味する。このため、本実施形態では、開口部２２１の内側側面２２１１が、開口部２２１の内側端縁となる。
【００４６】
上記のように、突出部５６３が凹部２２１２内に挿入されると、突出部５６３（５６３１，５６３２）の先端部は、底部２２１３に当接し、側面部５６２からの突出方向とは反対方向に押圧されて変形する。このような突出部５６３の体積が凹部２２１２の容積より大きいと、突出部５６３と底部２２１３とが密着しつつも、封止部５６Ａの側面部５６２と開口部２２１の内側側面２２１１との間に隙間が生じやすくなる。
これに対し、突出部５６３は、＋Ｚ方向において互いに離間する第１突出部５６３１及び第２突出部５６３２により構成されている。これにより、第１突出部５６３１と第２突出部５６３２との間に、それぞれが変形するスペースを確保できる。これにより、突出部５６３を凹部２２１２内に位置させ、これらを密着させつつ、封止部５６Ａの側面部５６２と開口部２２１の内側側面２２１１との間に隙間が生じることを抑制できる。
【００４７】
そして、突出部５６３は、側面部５６２の全周に亘って形成され、また、凹部２２１２は、内側側面２２１１の全周に亘って形成されている。これにより、接触面２２Ａ側から液体や塵埃が、側面部５６２と内側側面２２１１との間を通ってハウジング２Ａ内に侵入することを抑制できる。従って、測定装置１Ａの防水性及び防塵性を高めることができる。
【００４８】
［第１実施形態の効果］
以上説明した本実施形態に係る生体情報測定装置１Ａは、以下の効果を有する。
測定装置１Ａは、背面部２２を有するハウジング２Ａと、接触面２２Ａの法線方向から見て（すなわち平面視で）開口部２２１に配置されるセンサー部５２Ａと、を備える。センサー部５２Ａは、生体に光を照射する発光部５３と、生体からの反射光を受光する受光部５４と、発光部５３及び受光部５４を封止する封止部５６Ａと、を有する。封止部５６Ａは、開口部２２１の内側側面２２１１と接触する側面部５６２を有し、側面部５６２には、突出部５６３が設けられている。
これによれば、突出部５６３が内側側面２２１１と接触することによって、内側側面２２１１と側面部５６２との間の隙間を塞ぐことができる。このため、当該隙間を介して、液体や塵埃がハウジング２Ａ内に侵入することを抑制できる。従って、突出部５６３が無い場合に比べて、測定装置１Ａの防水性及び防塵性を高めることができる。
【００４９】
ハウジング２Ａの背面部２２は、開口部２２１の内側側面２２１１において突出部５６３に対応する位置に凹部２２１２を有する。これによれば、突出部５６３が凹部２２１２に挿入されることによって、液体及び塵埃が侵入するおそれがある上記隙間を塞ぐことができる。従って、測定装置１Ａの防水性及び防塵性を高めることができる。また、凹部２２１２によって、内側側面２２１１と側面部５６２との接触面積を拡大できる他、開口部２２１からの封止部５６Ａの抜けを抑制できる。
【００５０】
突出部５６３の硬度は、開口部２２１の内側側面２２１１の硬度、すなわち、ハウジング２を構成する背面部２２の硬度より小さい。これによれば、開口部２２１内に封止部５６Ａが挿入された際に突出部５６３を変形させやすくすることができ、突出部５６３が変形することにより、突出部５６３と内側側面２２１１（詳しくは凹部２２１２）とを密着させることができる。従って、上記隙間を確実に塞ぐことができ、測定装置１Ａの防水性及び防塵性を高めることができる。また、−Ｚ方向側から＋Ｚ方向側に封止部５６Ａが開口部２２１内に挿入されて配置される際に、突出部５６３が変形することによって、封止部５６Ａを開口部２２１内に確実に配置できる。
【００５１】
開口部２２１及び封止部５６のそれぞれの形状は、平面視で円弧状である部位を含む円形状である。これによれば、接触面２２Ａと生体とが接触するように測定装置１Ａが装着されて、平面視で封止部５６を拡径させる応力が加わった場合に、側面部５６２が内側側面２２１１に均等に圧力を加えることができる。従って、側面部５６２と内側側面２２１１とを隙間なく密着させることができる。
【００５２】
［第２実施形態］
次に、本発明の第２実施形態について説明する。
本実施形態に係る生体情報測定装置は、第１実施形態において示した生体情報測定装置１Ａと同様の構成を有するが、防水性及び防塵性を高める構成が異なる。なお、以下の説明では、既に説明した部分と同一又は略同一である部分については、同一の符号を付して説明を省略する。
【００５３】
［生体情報測定装置の概略構成］
図９は、本実施形態に係る生体情報測定装置１Ｂが備えるハウジング２Ｂの背面部２Ｂ２、及び、背面部２Ｂ２に取り付けられた生体情報検出センサー５ＢのＹＺ平面に沿う断面を示す図である。
本実施形態に係る生体情報測定装置１Ｂは、上記測定装置１Ａと同様に、ユーザーの体（生体）に装着されて利用されるウェアラブル機器であり、ユーザーの生体情報（例えば脈波及び脈拍数）を測定する。測定装置１Ｂは、図９に示すように、ハウジング２Ａ及び生体情報検出センサー５Ａに代えてハウジング２Ｂ及び生体情報検出センサー５Ｂを有する他は、上記測定装置１Ａと同様の構成及び機能を有する。
【００５４】
［ハウジングの構成］
ハウジング２Ｂは、背面部２２に代えて背面部２Ｂ２を有する。すなわち、ハウジング２Ｂは、詳しい図示を省略するが、−Ｚ方向側に位置する正面部２１と、＋Ｚ方向側に位置する背面部２Ｂ２と、正面部２１及び背面部２Ｂ２を接続する側面部２３と、を有する。
背面部２Ｂ２は、開口部２２１に代えて開口部２２６を有する他は、上記背面部２２と同様の構成及び機能を有する。すなわち、背面部２Ｂ２は、接触面２２Ａ及び内面２２Ｂの他、開口部２２６及び凹部２２３〜２２５を有する。
【００５５】
図１０は、背面部２Ｂ２及び生体情報検出センサー５Ｂの一部を拡大して示す断面図である。なお、図１０も、背面部２Ｂ２及び生体情報検出センサー５ＢのＹＺ平面に沿う断面を示している。
開口部２２６は、図９及び図１０に示すように、背面部２Ｂ２における＋Ｚ方向側の面であって生体と接触する接触面２２Ａの中央に、＋Ｚ方向に沿って背面部２Ｂ２を貫通するように形成されている。開口部２２６内には、平面視で生体情報検出センサー５Ｂを構成するセンサー部５２Ｂが配置され、開口部２２６は、センサー部５２Ｂを構成する封止部５６Ｂによって封止される発光部５３から出射された光、及び、受光部５４によって受光される光が通過する。
【００５６】
ここで、開口部２２６の内側側面２２６１における＋Ｚ方向側の端部には、図１０に示すように、開口部２２６の中心側、すなわち、封止部５６Ｂ側に突出するハウジング側突出部としての突出部２２６２が、内側側面２２６１と一体的に設けられている。
突出部２２６２は、開口部２２６の＋Ｚ方向に沿う中心軸を中心とする周方向に沿って、内側側面２２６１における全周に亘って形成されている。このため、開口部２２６は、＋Ｚ方向側の端部における内径寸法が、−Ｚ方向側の端部における内径寸法より小さい段付き穴のような形状に形成されている。換言すると、開口部２２６は、接触面２２Ａにおける内径寸法が内面２２Ｂにおける内径寸法より小さい段付き穴のような形状に形成されている。
なお、平面視（接触面２２Ａの法線方向から見た場合）での開口部２２６の形状は、円弧状である部位を含む円形状であり、また、−Ｚ方向側から見た場合の開口部２２６の形状も同じである。そして、開口部２２６における内側端縁２２６Ｅは、突出部２２６２における開口部２２６の中心側の端縁である。
【００５７】
［生体情報検出センサーの構成］
生体情報検出センサー５Ｂは、センサー部５２Ａに代えてセンサー部５２Ｂを有する他は、上記生体情報検出センサー５Ａと同様の構成を有する。また、センサー部５２Ｂは、封止部５６Ａに代えて封止部５６Ｂを有する他は、上記センサー部５２Ａと同様の構成を有する。すなわち、センサー部５２Ｂは、発光部５３（５３Ａ，５３Ｂ）、受光部５４、遮光部５５及び封止部５６Ｂを有する。
封止部５６Ｂは、封止部５６Ａと同様に、透光性の封止材料によって形成された透光性部材からなり、発光部５３、受光部５４及び遮光部５５を基板５１の実装面５１Ａに封止する。封止部５６Ｂは、＋Ｚ方向側に突出する凸曲面である生体接触面５６１を有する。
【００５８】
このような封止部５６Ｂは、生体情報検出センサー５Ｂが背面部２Ｂ２に取り付けられた状態では、開口部２２６内に配置される。この状態では、封止部５６Ｂにおいて＋Ｚ方向に沿う封止部５６Ｂの中心軸を中心とする周方向の外面である側面部５６Ｂ２は、開口部２２６の内側側面２２６１と接触する。また、突出部２２６２は、封止部５６Ｂ内に埋没するように挿入された状態となる。すなわち、封止部５６Ｂの側面部５６Ｂ２は、突出部２２６２に対して＋Ｚ方向側に位置し、かつ、開口部２２６の内側端縁２２６Ｅより外側に突出する突出部５６Ｂ３と、突出部２２６２に対応し、突出部２２６２が挿入（嵌入）される凹部５６Ｂ５と、を有する。そして、突出部５６Ｂ３は、側面部５６Ｂ２から突出して接触面２２Ａと接触するとともに、突出部２２６２を＋Ｚ方向側にて覆う。このため、突出部５６Ｂ３における＋Ｚ方向側の面５６Ｂ４は、接触面２２Ａと連続する面となる。すなわち、突出部５６Ｂ３は、接触面２２Ａと連続する面５６Ｂ４を有する。
このような突出部５６Ｂ３及び凹部５６Ｂ５は、封止部５６Ｂの＋Ｚ方向に沿う中心軸を中心とする周方向に沿って、封止部５６Ｂの全周に亘って形成されている。
【００５９】
［封止部の形成工程］
図１１は、封止部５６Ｂの形成工程を説明する図である。
上記した封止部５６Ｂは、例えば以下に示す形成工程を経て形成可能である。
まず、図１１の一段目に示すように、封止部５６Ｂが形成されていない生体情報検出センサー５Ｂを、背面部２Ｂ２の内面２２Ｂに配置する。この際、平面視で、センサー部５２Ｂを構成する発光部５３、受光部５４及び遮光部５５が、開口部２２６内に位置するように、生体情報検出センサー５Ｂを内面２２Ｂに配置する。そして、生体情報検出センサー５Ｂを背面部２Ｂ２に上記固定部材や接着剤等によって固定する。
【００６０】
次に、図１１の二段目に示すように、開口部２２６内に封止材料を注入して固化させ、開口部２２６内に、封止部５６Ｂを構成する第１構成部５６Ｐ１を形成する。第１構成部５６Ｐ１は、開口部２２６の内側側面２２６１に位置する突出部２２６２と接する部位であり、本実施形態では、＋Ｚ方向側の面が、突出部２２６２における＋Ｚ方向側の面、すなわち、接触面２２Ａと略面一となるように、第１構成部５６Ｐ１は形成される。これにより、封止部５６Ｂの側面部５６Ｂ２が、開口部２２６の内側側面２２６１と接触する状態となる。
なお、第１構成部５６Ｐ１を形成する封止材料として、透光性を有するだけでなく、接着性を有する封止材料を採用してもよい。この場合、第１構成部５６Ｐ１は、内側側面２２６１と接触して密着する。
【００６１】
この後、図１１の三段目に示すように、凸曲面である生体接触面５６１を有する第２構成部５６Ｐ２を形成し、これにより、封止部５６Ｂを形成する。
具体的に、第２構成部５６Ｐ２の形成工程では、開口部２２６を覆うように生体接触面５６１に応じた型（図示省略）を配置し、型内に封止材料を注入して、封止部５６Ｂを構成する第１構成部５６Ｐ１の＋Ｚ方向側の部位である第２構成部５６Ｐ２を形成する。これにより、第１構成部５６Ｐ１及び第２構成部５６Ｐ２が一体化され、封止部５６Ｂが形成される。
【００６２】
この際、平面視で、突出部２２６２の一部が封止材料によって覆われるように、第２構成部５６Ｐ２を形成する。これにより、封止部５６Ｂに、上記凹部５６Ｂ５が形成されるとともに、開口部２２６の内側端縁２２６Ｅより外側に位置し、接触面２２Ａと接触する上記突出部５６Ｂ３が形成される。従って、開口部２２６の内側側面２２６１と封止部５６Ｂとの間を介して、液体及び塵埃がハウジング２Ｂ内に侵入することが抑制される。すなわち、測定装置１Ｂの防水性及び防塵性が高められる。
なお、第２構成部５６Ｐ２を形成する封止材料は、第１構成部５６Ｐ１を形成する封止材料と同じでもよく、異なっていてもよい。例えば、第１構成部５６Ｐ１を形成する封止材料と、第２構成部５６Ｐ２を形成する封止材料は、屈折率が異なっていてもよい。
また、上記形成工程にて形成される封止部５６Ｂ（特に突出部５６Ｂ３）の硬度は、内側側面２２６１を形成する背面部２Ｂ２の硬度より大きくてもよく、同じでも小さくてもよい。
【００６３】
［第２実施形態の効果］
以上説明した本実施形態に係る測定装置１Ｂは、上記測定装置１Ａと同様の効果を奏することができる他、以下の効果を奏することができる。
すなわち、測定装置１Ｂは、ハウジング２Ｂと、ハウジング２Ｂを構成する背面部２Ｂ２の接触面２２Ａの法線方向からの平面視において、接触面２２Ａに形成された開口部２２６に配置されるセンサー部５２Ｂと、を備える。センサー部５２Ｂは、生体に光を照射する発光部５３と、生体からの反射光を受光する受光部５４と、発光部５３及び受光部５４を封止する封止部５６Ｂと、を有する。封止部５６Ｂは、開口部２２６の内側側面２２６１と接触する側面部５６Ｂ２を有し、側面部５６Ｂ２には、突出部５６Ｂ３が設けられている。これによれば、突出部５６Ｂ３によって、内側側面２２６１と側面部５６Ｂ２との間の隙間を塞ぐことができる。このため、当該隙間を介して、液体や塵埃が接触面２２Ａ側からハウジング２Ｂ内に侵入することを抑制できる。従って、このような突出部５６Ｂ３が無い場合に比べて、測定装置１Ｂの防水性及び防塵性を高めることができる。
【００６４】
側面部５６Ｂ２に設けられた突出部５６Ｂ３は、背面部２Ｂ２の接触面２２Ａと接触する。これによれば、突出部５６Ｂ３は、平面視で封止部５６Ｂと開口部２２６の内側側面２２６１（内側端縁２２６Ｅ）との間の隙間を覆うように設けられるので、接触面２２Ａ側から液体や塵埃がハウジング２Ｂ内に浸入することを抑制できる。従って、測定装置１Ｂの防水性及び防塵性を高めることができる。
【００６５】
突出部５６Ｂ３は、接触面２２Ａと連続する面５６Ｂ４を有する。これによれば、接触面２２Ａと生体とが接触するように測定装置１Ｂが装着された際に、接触面２２Ａだけでなく面５６Ｂ４、ひいては、生体接触面５６１が連続して生体と接触するので、生体に跡が残ることを抑制できる。
【００６６】
背面部２Ｂ２は、内側側面２２６１から封止部５６Ｂに向かって突出するハウジング側突出部としての突出部２２６２を有し、側面部５６Ｂ２は、突出部２２６２に対応する位置に凹部５６Ｂ５を有する。これによれば、突出部２２６２が凹部５６Ｂ５に挿入されることによって、内側側面２２６１と側面部５６Ｂ２との接触面積を拡大できる。この他、突出部２２６２が内側側面２２６１に位置することにより、開口部２２６は、内面２２Ｂにおける内径に比べて、接触面２２Ａにおける内径が小さい段付き穴のような形状となる。このため、開口部２２６内に配置される封止部５６Ｂの脱落を抑制できる。
【００６７】
［第２実施形態の変形］
測定装置１Ｂにおいて、封止部５６Ｂは、それぞれ別に形成される第１構成部５６Ｐ１及び第２構成部５６Ｐ２を有する構成とした。しかしながら、これに限らず、上記型を開口部２２６に応じて配置した上で、開口部２２６内に封止材料を流し込んで、封止部５６Ｂを一度に形成してもよい。すなわち、封止部５６Ｂは一体的に形成されていてもよい。
また、第１構成部５６Ｐ１が形成された生体情報検出センサー５Ｂを、第１構成部５６Ｐ１が開口部２２６内に位置するように配置部２２２に配置した後に、第２構成部５６Ｐ２を形成することによって、封止部５６Ｂを形成してもよい。この場合、第１構成部５６Ｐ１の硬度は、内側側面２２６１の硬度（背面部２Ｂ２の硬度）より小さいことが好ましいが、同じでも、大きくてもよい。
【００６８】
更に、封止材料を型に流し込むことによって第２構成部５６Ｐ２を形成する代わりに、別途作製した第２構成部５６Ｐ２を、開口部２２６内に位置する第１構成部５６Ｐ１に接着等によって取り付けることによって、封止部５６Ｂを形成してもよい。
また、封止部５６Ｂにおける突出部５６Ｂ３が、開口部２２６の内側側面２２６１（内側端縁２２６Ｅ）より外側に位置し、かつ、接触面２２Ａと接触（密着）していれば、封止部５６Ｂの側面部５６Ｂ２と開口部２２６の内側側面２２６１とは、必ずしも接触していなくてもよい。
【００６９】
［実施形態の変形］
本発明は、上記実施形態に限定されるものではなく、本発明の目的を達成できる範囲での変形、改良等は本発明に含まれるものである。
例えば、上記第１実施形態にて示した構成と、上記第２実施形態にて示した構成とを組み合わせてもよい。一例を挙げると、生体情報測定装置は、封止部の側面部に、突出部５６３，５６Ｂ３及び凹部５６Ｂ５が設けられ、開口部の内側側面に、凹部２２１２及び突出部２２６２が設けられる構成としてもよい。
【００７０】
上記各実施形態では、封止部５６Ａ，５６Ｂの側面部５６２，５６Ｂ２に、突出部５６３，５６Ｂ３が設けられ、突出部５６３，５６Ｂ３によって、側面部５６２，５６Ｂ２と開口部２２１，２２６の内側側面２２１１，２２６１との間の隙間が塞がれるとした。しかしながら、これに限らず、開口部の内側側面に突出部が設けられていてもよい。この場合、突出部の硬度が、封止部の硬度より大きくてもよく、小さくてもよい。また、この場合、封止部の側面部において突出部に対応する位置に凹部が設けられていてもよい。このような凹部が設けられる場合には、凹部の深さ寸法より、突出部の突出寸法の方が大きいことが好ましい。
【００７１】
上記第１実施形態では、突出部５６３が予め設けられた封止部５６Ａを有する生体情報検出センサー５Ａを、内面２２Ｂに配置することによって、突出部５６３を凹部２２１２内に挿入するとした。しかしながら、これに限らず、封止部５６Ａは、生体情報検出センサー５Ａに予め形成されていなくてもよい。例えば、封止部５６Ａが設けられていない生体情報検出センサー５Ａを背面部２２と組合せ、開口部２２１に応じて配置された型内に封止材料を流し込むことによって、封止部５６Ａを形成してもよい。この封止材料として、透光性の他に接着性を有する樹脂を採用すれば、封止部５６Ａの側面部５６２と内側側面２２１１とをより効果的に密着させることができる。なお、接着性を有する封止材料は、上記のように、背面部２２，２Ｂ２への生体情報検出センサー５Ａ，５Ｂの取り付けの前に形成される封止部５６Ａ，５６Ｂ（第１構成部５６Ｐ１）の材料として採用してもよい。
【００７２】
上記第１実施形態では、凹部２２１２に挿入される突出部５６３は、側面部５６２の＋Ｚ方向における中央に位置するとした。しかしながら、これに限らず、液体及び塵埃の侵入を抑制できる程度に凹部２２１２と突出部５６３とが密着すればよく、凹部２２１２及び突出部５６３の＋Ｚ方向における位置は、適宜変更可能である。
また、突出部５６３が開口部２２１の内側側面２２１１と密着した状態を維持できれば、開口部２２１の内側側面２２１１に凹部２２１２は無くてもよい。
更に、内側側面２２１１が突出部５６３の形状に応じて弾性変形する等して、内側側面２２１１と突出部５６３とが密着するのであれば、突出部５６３の硬度は、必ずしも内側側面２２１１の硬度より小さくなくてもよい。
この他、突出部５６３は、第１突出部５６３１及び第２突出部５６３２のうち一方のみを有する構成であってもよく、より多くの突出部を有する構成であってもよい。
【００７３】
上記各実施形態では、突出部５６３，５６Ｂ３は、封止部５６Ａ，５６Ｂにおける全周に亘って形成されているとした。しかしながら、これに限らず、開口部２２１，２２６の内側側面２２１１，２２６１と、封止部５６Ａ，５６Ｂの側面部５６２，５６Ｂ２とが密着できれば、突出部５６３，５６Ｂ３は、必ずしも全周に亘って形成されていなくてもよい。この場合、凹部２２１２は、突出部５６３の位置に応じて設けられていればよい。
【００７４】
上記第２実施形態では、ハウジング２Ｂを構成する背面部２Ｂ２は、開口部２２６の内側側面２２６１から突出するハウジング側突出部としての突出部２２６２を有するとした。しかしながら、これに限らず、このような突出部２２６２は、無くてもよく、当該突出部２２６２が設けられる場合でも、内側側面２２６１の全周に亘って設けられていなくてもよい。この場合でも、平面視で（接触面２２Ａの法線方向から見て）、開口部２２６の内側側面２２６１（内側端縁２２６Ｅ）より外側に突出する突出部５６Ｂ３が封止部５６Ｂに設けられていればよい。
【００７５】
上記各実施形態では、封止部５６Ａ，５６Ｂが配置される開口部２２１，２２６の形状は、平面視で略円形状であるとした。しかしながら、これに限らず、開口部２２１，２２６の形状は、適宜変更可能である。例えば、開口部２２１，２２６の形状は、平面視で、多角形状であってもよく、円弧状である部位を含む他の形状であってもよい。この場合でも、予め封止部５６Ａ又は第１構成部５６Ｐ１が形成されたセンサーを−Ｚ方向側からハウジング（リアケース）に取り付ける場合には、封止部５６Ａ又は第１構成部５６Ｐ１の平面視での形状は、開口部の形状に合わせてあればよい。
【００７６】
上記各実施形態では、背面部２２，２Ｂ２は、増幅部５７及びコネクター５８が配置される凹部２２３，２２４を有するとした。しかしながら、これに限らず、凹部は無くてもよい。また、生体情報検出センサー５Ａ，５Ｂに、増幅部５７は無くてもよい。この場合、増幅部５７は、回路基板３に設けられていてもよい。
【００７７】
上記各実施形態では、生体情報検出センサー５Ａ，５Ｂにおける支持基板としての基板５１は、接続部材６の一部が配置される隙間ＧＰを凹部２２５とともに形成する隙間形成部５１１を有するとした。しかしながら、これに限らず。基板５１に隙間形成部５１１は無くてもよい。一方、基板５１に隙間形成部５１１があれば、背面部２２に凹部２２５は無くてもよい。
【００７８】
上記各実施形態では、測定装置１Ａ，１Ｂは、回路基板３及び生体情報検出センサー５Ａ，５Ｂを有し、回路基板３と生体情報検出センサー５Ａ，５Ｂとは接続部材６によって電気的に接続されるとした。しかしながら、これに限らず、センサー部５２Ａ，５２Ｂは、回路基板３に設けられていてもよい。この場合、例えば、回路基板３における＋Ｚ方向側の面にセンサー部５２Ａ，５２Ｂを設けることによって、発光部から出射された光を生体に照射しやすくすることができ、また、生体にて反射された光を受光部にて受光しやすくすることができる。そして、センサー部５２Ａ，５２Ｂを回路基板３に設けることによって、基板５１を省略できるので、測定装置１Ａ，１Ｂの更なる薄型化を図ることができる。なお、電池４の位置は、適宜変更可能である。
【００７９】
上記各実施形態では、センサー部５２Ａ，５２Ｂは、それぞれパッケージ化されたＬＥＤチップである発光部５３Ａ，５３Ｂと、パッケージ化されたＰＤチップである受光部５４と、を有するとした。しかしながら、これに限らず、発光部５３Ａ，５３Ｂの少なくとも１つの発光部は、パッケージ化されていないＬＥＤチップ、すなわち、ＬＥＤベアチップであってもよい。また、受光部５４は、パッケージ化されていないＰＤチップ、すなわち、ＰＤベアチップであってもよい。
また、基板５１及び回路基板３の基板は、それぞれリジッド基板であるとしたが、少なくともいずれか一方の基板は、フレキシブルプリント基板（ＦＰＣ）であってもよい。
【００８０】
上記各実施形態では、生体接触面５６１は凸曲面であるとした。しかしながら、これに限らず、封止部において光の出射方向側の面の形状は、他の形状であってもよい。
例えば、生体接触面５６１は、平坦面を含んでもよく、凹曲面でもよい。生体接触面５６１が凹曲面である場合、発光部５３から出射された光を封止部５６Ａ，５６Ｂ外に拡散させやすくすることができ、封止部５６Ａ，５６Ｂに入射される光を受光部５４に集光しやすくすることができる。
このように、生体接触面５６１の形状や曲率を変更することにより、生体情報検出センサーの用途に応じて、発光部５３から出射された光を生体に効果的に照射できる他、生体から入射される光を効率よく受光部５４に入射させることができる。
【００８１】
上記各実施形態では、増幅部５７及びコネクター５８は、基板５１においてセンサー部５２Ａ，５２Ｂが位置する実装面５１Ａに配設されるとした。すなわち、基板５１に配設される全ての構成は、実装面５１Ａに配設されるとした。しかしながら、これに限らず、基板５１に配設される複数の構成部品のうち、センサー部５２Ａ，５２Ｂを除く少なくとも１つの構成部品は、実装面５１Ａとは反対側の裏面５１Ｂに配設されていてもよい。このように構成することで、背面部２２，２Ｂ２に増幅部５７及びコネクター５８を配置するための複数の凹部２２３，２２４を形成する必要がなくなり、背面部２２，２Ｂ２に薄肉部がなくなるため、背面部２２，２Ｂ２、ひいては、ハウジング２Ａ，２Ｂの強度を高めることができる。
【００８２】
上記各実施形態では、センサー部５２Ａ，５２Ｂは、２つの発光部５３Ａ，５３Ｂ及び１つの受光部５４を有するとした。しかしながら、これに限らず、発光部の数及び受光部の数は、適宜変更可能である。例えば、１つの受光部に対して１つの発光部が設けられていてもよく、３以上の発光部が設けられていてもよい。また、１つの発光部に対して２以上の受光部が設けられていてもよい。
更に、それぞれ少なくとも１つの発光部及び受光部の組が複数設けられていてもよい。この場合、複数の封止部によって組毎に封止されていてもよい。そして、この場合には、発光部及び受光部の組毎に、これらを外部に露出させる開口部が背面部に形成されていてもよい。
また、発光部及び受光部のレイアウトは適宜変更可能であり、例えば、複数の発光部が＋Ｘ方向に離間して配設されていてもよい。
【００８３】
上記各実施形態では、遮光部５５は、受光部５４を囲む矩形枠状に形成されているとした。しかしながら、これに限らず、遮光部５５の形状は、環状であってもよく、矩形以外の多角形状であってもよい。
また、遮光部５５は、受光部５４を囲む形状でなくてもよい。すなわち、発光部と受光部との間に遮光部が位置し、発光部から出射されて受光部に直接入射する光を遮蔽できれば、遮光部の形状は適宜変更可能である。例えば、発光部及び受光部をそれぞれ１つずつ有するセンサー部において、これら発光部及び受光部の間に遮光部があれば、受光部から発光部に向かう方向とは異なる方向に遮光部（遮蔽部）は無くてもよい。また、遮光部の一部に隙間があってもよく、複数の遮蔽部（遮光部）に分断されていてもよい。
更に、遮光部５５は、必ずしも発光部５３及び受光部５４とともに、封止部５６Ａ，５６Ｂによって封止されていなくてもよく、遮光部を封止部外に設ける構成としてもよい。また、上記のように、遮光部５５の一部が、封止部５６Ａ，５６Ｂの外部に位置していてもよい。更に、遮光部は、無くてもよい。
【００８４】
上記各実施形態では、遮光部５５における実装面５１Ａからの突出方向である＋Ｚ方向の先端部の位置は、発光部５３（５３Ａ，５３Ｂ）における＋Ｚ方向側の端部より＋Ｚ方向側で、生体接触面５６１より−Ｚ方向側であるとした。しかしながら、これに限らず、先端部の位置は、発光部５３における＋Ｚ方向側の端部より＋Ｚ方向側であれば、適宜変更可能である。
例えば、遮光部５５の先端部の位置は、生体接触面５６１と略同じ位置であってもよく、生体接触面５６１より更に＋Ｚ方向側であってもよい。これらの場合、発光部５３から出射された光が、界面である生体接触面５６１にて内面反射され、遮光部５５を乗り越えて受光部５４に入射されてしまうことを抑制できる。
【００８５】
生体接触面５６１の位置と遮光部５５の先端部の位置とを合わせるには、これらの位置が略一致するように、型等を用いて封止部５６Ａを成形する手法や、形成された封止部５６Ａを削る手法を採用できる。
なお、遮光部５５の先端部が、生体接触面５６１より＋Ｚ方向側に位置していると、生体接触面５６１と生体との接触性（装着性）が損なわれる可能性がある。これに対し、遮光部５５の先端部が、凸曲面状の生体接触面５６１より＋Ｚ方向側で、かつ、生体接触面５６１の頂点（生体接触面５６１において最も＋Ｚ方向側に位置する部位）より−Ｚ方向側に位置していれば、上記接触性が損なわれることを抑制できる。
【００８６】
上記各実施形態では、回路基板３には、測定装置に作用する加速度を検出する加速度センサーが設けられているとした。しかしながら、これに限らず、回路基板３に加速度センサーは設けられていなくてもよく、また、設けられている場合でも、回路基板３以外の構成に設けられていてもよい。例えば、生体情報検出センサーの基板に加速度センサー等の他のセンサーが設けられていてもよい。更に、生体情報測定装置は、位置情報を計測可能な位置センサー（例えばＧＰＳ受信機）を備えていてもよい。
【００８７】
上記各実施形態では、生体情報検出センサー５Ａ，５Ｂは、生体情報の１つである脈波を検出し、回路基板３は、生体情報検出センサー５Ａ，５Ｂから出力された脈波信号に基づいて、生体情報の他の１つである脈拍数を決定するとした。すなわち、上記した生体情報測定装置１Ａ，１Ｂは、脈波及び脈拍数を生体情報として測定するとした。しかしながら、これに限らず、本発明の生体情報測定装置が検出及び測定可能な生体情報は、脈波及び脈拍数に限定されない。例えば、ＨＲＶ（Heart Rate Variability）、ＲＲＩ（R-R Interval：脈拍間隔）、血圧、血糖値、活動量や消費カロリー、最大酸素摂取量（ＶＯ２ｍａｘ）等、光電センサーを用いて生体情報を測定する生体情報測定装置に本発明を適用してもよい。
【符号の説明】
【００８８】
１Ａ，１Ｂ…生体情報測定装置、２Ａ，２Ｂ…ハウジング、２Ｒ，２ＲＢ…リアケース、２２…背面部、２２Ａ…接触面、２２Ｂ…内面、２２１，２２６…開口部、２２１１，２２６１…内側側面、２２１２…凹部、２２１３…底部、２２３…凹部、２２６２…突出部（ハウジング側突出部）、２２６Ｅ…内側端縁、５Ａ，５Ｂ…生体情報検出センサー、５１…基板、５１Ａ…実装面、５１Ｂ…裏面、５２Ａ，５２Ｂ…センサー部、５３（５３Ａ，５３Ｂ）…発光部、５４…受光部、５５…遮光部、５５１…第１遮蔽部、５５１１…先端部、５５２…第２遮蔽部、５５２１…先端部、５５３…第３遮蔽部、５５４…第４遮蔽部、５６Ａ，５６Ｂ…封止部、５６１…生体接触面、５６２，５６Ｂ２…側面部、５６３，５６Ｂ３…突出部、５６Ｂ４…面、５６Ｂ５…凹部、５６３１…第１突出部、５６３２…第２突出部、５７…増幅部。
【図１】
2019166267.tif 000003
【図２】
2019166267.tif 000004
【図３】
2019166267.tif 000005
【図４】
2019166267.tif 000006
【図５】
2019166267.tif 000007
【図６】
2019166267.tif 000008
【図７】
2019166267.tif 000009
【図８】
2019166267.tif 000010
【図９】
2019166267.tif 000011
【図１０】
2019166267.tif 000012
【図１１】
2019166267.tif 000013